(57)【要約】【課題】自分で手軽に健康状態を知ることができる便器取付型健康チェックセンサーシステムを提供する。【解決手段】便器取付型健康チェックセンサーシステム１は、便器２に取り付けて用いることができるものである。便器取付型健康チェックセンサーシステム１は、尿成分を検出測定するセンサーを有し、便器２に取り付けて用いられる尿成分検出部１０と、センサーにより検出測定された情報に基づき、健康状態を段階に分けて判断し、その判断結果を表示する表示部２０と、センサーにより検出測定された情報に基づき、尿成分の測定値を出力する出力部３０とを備えている。【選択図】図１
2016008453.tif 000002
【特許請求の範囲】
【請求項１】
尿成分を検出測定するセンサーを有し、便器に取り付けて用いられる尿成分検出部と、
前記センサーにより検出測定された情報に基づき、健康状態を段階に分けて判断し、その判断結果を表示する表示部と、
前記センサーにより検出測定された情報に基づき、尿成分の測定値を出力する出力部と、
利用者が所定の金額のお金を投入する入金部を有し、この入金部に所定の金額のお金が投入された時に、前記表示部及び前記出力部の一方または両方に判断結果を表示または測定値を出力するように制御する課金部とを備え、
前記尿成分検出部は、尿を溜める窪部を有し、前記センサーは前記窪部に溜められた尿に接するように設けられ、無線により検出測定した情報を前記表示部及び前記出力部に対して送信する
ことを特徴とする便器取付型健康チェックセンサーシステム。
【発明の詳細な説明】
【技術分野】
【０００１】
本発明は、便器に取り付けて健康状態を簡単に知ることができる便器取付型健康チェックセンサーシステムに関する。
【背景技術】
【０００２】
近年、健康管理に関する個人の関心が高まっている。特に、疾病の早期発見、疾病治療中、または、疾病治療後の健康管理を目的として、定期的に健康診断を行う人も多い。健康状態を判断する方法の１つに、尿検査がある。尿検査は、尿を採取し、尿に含まれる尿糖、尿蛋白、尿酸、潜血等の尿成分を分析することにより、膵臓障害、肝臓障害、腎臓障害、その他の障害を簡単に知ることができる。一般に、尿検査は、病院や医療機関などの専門機関で行われているが、市販の検査キットを購入して自分で検査することもできる。しかし、尿検査のために市販の検査キットを購入するのは面倒であり、もっと、日常的に手軽に検査することができれば、健康状態を自分で容易に管理することができるので好ましい。
【先行技術文献】
【特許文献】
【０００３】
【特許文献１】特開平９−２１１５５号公報
【特許文献２】特開２００７−７７５８３号公報
【発明の概要】
【発明が解決しようとする課題】
【０００４】
本発明は、このような問題に基づきなされたものであり、自分で手軽に健康状態を知ることができる便器取付型健康チェックセンサーシステムを提供することを目的とする。
【０００５】
なお、特許文献１または特許文献２には、バイオセンサーまたはｐＨ計測センサーを取り付けた便器が記載されているが、本願発明とは具体的な構成が異なっている。
【課題を解決するための手段】
【０００６】
本発明の便器取付型健康チェックセンサーシステムは、尿成分を検出測定するセンサーを有し、便器に取り付けて用いられる尿成分検出部と、センサーにより検出測定された情報に基づき、健康状態を段階に分けて判断し、その判断結果を表示する表示部と、センサーにより検出測定された情報に基づき、尿成分の測定値を出力する出力部と、利用者が所定の金額のお金を投入する入金部を有し、この入金部に所定の金額のお金が投入された時に、表示部及び出力部の一方または両方に判断結果を表示または測定値を出力するように制御する課金部とを備え、尿成分検出部は、尿を溜める窪部を有し、センサーは窪部に溜められた尿に接するように設けられ、無線により検出測定した情報を表示部及び出力部に対して送信するものである。
【発明の効果】
【０００７】
本発明によれば、便器に尿成分検出部を取り付けることにより、簡単に、尿成分を検出測定して、精密な検査値ではなく、大まかな健康状態を知ることができる。特に、表示部により健康状態を段階に分けて判断して表示するようにしたので、例えば、異常なし、要注意、異常あり等の段階に分けて表示することにより、大まかな健康状態を簡単に知ることができる。また、出力部により測定値を出力させることにより、大まかな測定値を知ることもできる。よって、日常の大まかな健康管理を簡単に行うことができ、詳細な検査が必要か否か等の判断の目安とすることができる。
【０００８】
また、尿成分検出部に尿を溜める窪部を設け、窪部に溜められた尿に接するようにセンサーを設けるようにしたので、センサーが尿に接する時間を長くすることができ、センサーによる尿成分の検出精度を高めることができる。更に、センサーにより検出測定した情報を無線により送信するようにしたので、配線が不要となり、便器への取り付けを容易とすることができる。
【図面の簡単な説明】
【０００９】
【図１】本発明の一実施の形態に係る便器取付型健康チェックセンサーシステムの全体構成を表す図である。
【図２】図１に示した便器取付型健康チェックセンサーシステムの尿成分検出部の構成を表す図である。
【発明を実施するための形態】
【００１０】
以下、本発明の実施の形態について図面を参照して詳細に説明する。
【００１１】
図１は、本発明の一実施の形態に係る便器取付型健康チェックセンサーシステム１の全体構成を表すものである。図２は、図１に示した尿成分検出部１０の構成を拡大して表すものであり、（Ａ）は前方から見た図、（Ｂ）は（Ａ）に示したＩ−Ｉ線に沿った断面図である。この便器取付型健康チェックセンサーシステム１は、便器２に取り付けて用いることができるものであり、既に設置されている便器２であっても、後付けすることができるものである。取り付ける便器２としては、水洗式のものが好ましい。なお、本実施の形態では、男性の小便用の便器２に取り付ける場合について具体的に説明する。
【００１２】
便器取付型健康チェックセンサーシステム１は、例えば、尿糖、尿蛋白、尿酸値等の尿成分を検出測定するセンサー１１を有し、便器２に取り付けて用いられる尿成分検出部１０と、センサー１１により検出測定された情報に基づき、健康状態を段階に分けて判断し、その判断結果を表示する表示部２０と、センサー１１により検出測定された情報に基づき、尿成分の測定値を出力する出力部３０とを備えている。
【００１３】
尿成分検出部１０は、例えば、背面１２が便器２に対する取付部となっており、接着剤や両面テープなどにより便器２に対して固定される。尿成分検出部１０の取付位置は、尿がかかりやすく、かつ、尿を流す水の流路、例えば、水の吹き出し部２Ａの下側であることが好ましい。尿成分検出部１０の前面には、例えば、前方に突出するように突出部１３が設けられており、突出部１３の上面には、尿を溜めるための窪部１４が設けられている。窪部１４の大きさは、例えば、１ｃｍ３から数ｃｍ３程度であることが好ましい。尿成分検出部１０の前面には、また、尿を窪部１４に集めるように、窪部１４の両側上方を前方に突出させて、窪部１４の上方に溝状の案内流路１５が形成されていることが好ましい。案内流路１５は、例えば、窪部１４の側よりも上方側が広くなっていることが好ましい。
【００１４】
尿成分検出部１０の内部には、例えば、センサー１１が配設されている。センサー１１は、例えば、検知部分が窪部１４の底部から露出され、窪部１４に溜められた尿に接するように配設されている。また、センサー１１は、例えば、検出測定した情報を表示部２０及び出力部３０に対して無線により送信するように構成されていることが好ましい。尿成分検出部１０の内部には、更に、例えば、センサー１１を駆動させるための電池１６が収納されている。
【００１５】
表示部２０は、例えば、センサー１１から無線により送信された情報を受信する受信部と、この受信部により受信したセンサー１１からの情報に基づき健康状態を段階に分けて判断する判断部と、この判断部による判断結果を表示する表示パネル２１とを有している。判断部は、例えば、尿成分の測定値が健康な異常ない値であるか、少し異常が感じられる要注意な値であるか、または、不健康な異常のある値であるか等の複数の段階に分けて判断するように構成されていることが好ましい。表示パネル２１は、判断部の判断結果に応じて、例えば、判断結果が異常なしの場合には緑、要注意の場合にはオレンジ、異常ありの場合には赤のように健康状態を色分けして表示するように構成されていることが好ましい。
【００１６】
出力部３０は、例えば、センサー１１から無線により送信された情報を受信する受信部と、この受信部により受信したセンサー１１からの情報に基づき尿成分の測定値を印字する印字部とを有している。受信部は、表示部２０と共通であってもよい。また、表示部２０及び出力部３０は、一体として設けられていても、別体として設けられていてもよい。表示部２０及び出力部３０は、例えば、便器２の上に取り付けてもよく、便器２の近くの壁に取り付けてもよい。
【００１７】
この便器取付型健康チェックセンサーシステム１は、また、課金部４０を備えていることが好ましい。課金部４０は、例えば、利用者が所定の金額のお金を投入する入金部４１を有し、この入金部４１に所定の金額のお金が投入された時に、表示部２０及び出力部３０の一方または両方に判断結果を表示または測定値を出力するように制御するものである。例えば、利用者が入金部４１に規定の第１金額のお金を投入すると、表示部２０に大まかな健康状態を表示し、利用者が更に詳しい情報を知りたい場合には、入金部４１に規定の第２金額のお金を追加して投入すると、出力部３０から測定値を出力するようにしてもよい。
【００１８】
なお、表示部２０は、利用者に使用方法を表示するための機能を備えていることが好ましい。例えば、便器２に利用者が近づくと、「健康状態がチェックできます」等の案内を表示し、入金部４１に所定の金額のお金が投入されたら、「便器に水を流してから尿をしてください」等の表示をすると共に、センサー１１により尿成分を検出測定し、表示部２０により判断結果を表示し、又は、出力部３０により測定値を出力した後、「便器に水を流してください」等の表示をすることが好ましい。このように尿をする前に水を流すようにすれば、前の利用者の尿が混入することを防止することができ、検出精度をたかめることができる。
【００１９】
この便器取付型健康チェックセンサーシステム１は、便器２に取り付けて、次のようにして用いられる。まず、例えば、便器２に利用者が近づくと表示部２０に、「健康状態がチェックできます」等の案内が表示され、利用者が所定の金額のお金を投入すると、表示部２０に、「便器に水を流してから尿をしてください」等の表示がされる。次いで、利用者が尿をすると、尿の一部は窪部１４に溜まり、センサー１１により尿成分が検出測定される。センサー１１により検出測定された情報は、例えば、無線により表示部２０及び出力部３０に対して送信され、利用者が投入した金額に応じて、表示部２０により判断結果が表示され、または、出力部３０により測定値が出力され、または、その両方が行われる。その後、例えば、表示部２０に、「便器に水を流してください」等の表示がされる。
【００２０】
このように、本実施の形態によれば、便器２に尿成分検出部１０を取り付けることにより、簡単に、尿成分を検出測定して、精密な検査値ではなく、大まかな健康状態を知ることができる。特に、表示部２０により健康状態を段階に分けて判断して表示するようにしたので、例えば、異常なし、要注意、異常あり等の段階に分けて表示することにより、大まかな健康状態を簡単に知ることができる。また、出力部３０により測定値を出力させることにより、大まかな測定値を知ることもできる。よって、日常の大まかな健康管理を簡単に行うことができ、詳細な検査が必要か否か等の判断の目安とすることができる。
【００２１】
また、尿成分検出部１０に尿を溜める窪部１４を設け、窪部１４に溜められた尿に接するようにセンサー１１を設けるようにしたので、センサー１１が尿に接する時間を長くすることができ、センサー１１による尿成分の検出精度を高めることができる。更に、センサー１１により検出測定した情報を無線により送信するようにしたので、配線が不要となり、便器２への取り付けを容易とすることができる。
【００２２】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【産業上の利用可能性】
【００２３】
便器に取り付けて、個人の健康管理に用いることができる。
【符号の説明】
【００２４】
１…便器取付型健康チェックセンサーシステム、２…便器、２Ａ…吹き出し部、１０…尿成分検出部、１１…センサー、１２…背面、１３…突出部、１４…窪部、１５…案内流路、１６…電池、２０…表示部、２１…表示パネル、３０…出力部、４０…課金部、４１…入金部
【図１】
2016008453.tif 000003
【図２】
2016008453.tif 000004